【手続補正書】
【提出日】平成21年12月18日(2009.12.18)
【手続補正１】
【補正対象書類名】特許請求の範囲
【補正対象項目名】全文
【補正方法】変更
【補正の内容】
【特許請求の範囲】
【請求項１】
複数の発光部を主走査方向及び副走査方向に離間して配置した光源手段と、前記複数の発光部から発せられた複数の光束を偏向走査する回転多面鏡と、前記複数の発光部から発せられた複数の光束を副走査断面内において前記回転多面鏡の偏向面にその法線に対して斜め方向から入射させる入射光学系と、前記回転多面鏡の偏向面にて偏向走査された複数の光束を被走査面上に結像させる結像光学系と、を有する光走査装置において、
前記入射光学系は前記光源手段からの光束を平行光束とする変換光学素子を有しており、前記被走査面の有効領域を走査するときの前記回転多面鏡の最大振り角をθmax[deg]、主走査断面内において前記入射光学系の光軸と前記結像光学系の光軸とのなす角度を２φ[deg]、前記変換光学素子の焦点距離をｆcol[mm]、前記複数の発光部のうち、主走査方向に最も離れている２つの発光部の離間距離をａ[mm]、副走査断面内において前記複数の光束の前記回転多面鏡の偏向面への各々の斜入射角度のうち最大値をα[deg]、前記結像光学系の副走査断面内の倍率をβs、前記回転多面鏡の内接円半径をＲ[mm]、副走査方向の画像の解像度をＤＰＩ[dot/inch]、副走査断面内において前記複数の光束の前記回転多面鏡の偏向面への各々の斜入射角度のうちの最大値α[deg]、とするとき、
【数１】
2008170485.tif 000001
２deg＜α＜４deg
なる条件を満足することを特徴とする光走査装置。
【請求項２】
光源手段と、前記光源手段から出射された光束の状態を変換する変換光学素子とを有する入射部とを複数有し、前記複数の入射部から出射された複数の光束を副走査断面内において回転多面鏡の偏向面にその法線に対して斜め方向から入射させる入射光学系と、前記回転多面鏡の偏向面にて偏向走査された複数の光束を被走査面上に結像させる結像光学系と、を有する光走査装置において、
前記被走査面の有効領域を走査するときの前記回転多面鏡の最大振り角をθmax[deg]、主走査断面内において前記入射光学系の光軸と前記結像光学系の光軸とのなす角度を２φ[deg]、主走査断面内において前記偏向面へ入射する複数の光束のうち、最も角度差が大きい２つの光束の角度差をσ[deg]、副走査断面内において前記複数の光束の前記回転多面鏡の偏向面への各々の斜入射角度のうち最大値をα[deg]、前記結像光学系の副走査断面内の倍率をβs、前記回転多面鏡の内接円半径をＲ[mm]、副走査方向の画像の解像度をＤＰＩ[dot/inch]、副走査断面内において前記複数の光束の前記回転多面鏡の偏向面への各々の斜入射角度のうちの最大値α[deg]、とするとき
【数２】
2008170485.tif 000002
２deg＜α＜４deg
なる条件を満足することを特徴とする光走査装置。
【請求項３】
前記被走査面の有効領域を走査するときの前記回転多面鏡の最大振り角θmax[deg]は、
１５deg＜θmax＜２５deg
なる条件を満足することを特徴とする請求項１又は２に記載の光走査装置。
【請求項４】
前記変換光学素子の焦点距離ｆcol[mm]は、
１５mm＜ｆcol＜８０mm
なる条件を満足することを特徴とする請求項１に記載の光走査装置。
【請求項５】
主走査断面内において、前記偏向面へ入射する前記複数の光束のうち、最も角度差が大きい２つの光束の角度差σ[deg]は、
０deg＜σ＜１．０deg
なる条件を満足することを特徴とする請求項２に記載の光走査装置。
【請求項６】
主走査断面内において、前記入射光学系の光軸と前記結像光学系の光軸とのなす角度を２φ[deg]とするとき、
０deg≦２φ＜１００deg
なる条件を満足することを特徴とする請求項１から５の何れか１項に記載の光走査装置。 
【請求項７】
０＜ａ／ｆcol＜０．０２
なる条件を満足することを特徴とする請求項４に記載の光走査装置。
【請求項８】
前記結像光学系の副走査断面内の結像倍率βｓは、
０．５≦｜βｓ｜≦２．０
なる条件を満足することを特徴とする請求項１から６の何れか１項に記載の光走査装置。 
【請求項９】
請求項１から８の何れか１項に記載の光走査装置と、前記被走査面に配置された感光体と、前記光走査装置で走査された光ビームによって前記感光体の上に形成された静電潜像をトナー像として現像する現像器と、現像されたトナー像を被転写材に転写する転写器と、転写されたトナー像を被転写材に定着させる定着器とを有することを特徴とする画像形成装置。
【請求項１０】
請求項１から８の何れか１項に記載の光走査装置と、外部機器から入力したコードデータを画像信号に変換して前記光走査装置に入力せしめるプリンタコントローラとを有していることを特徴とする画像形成装置。
【手続補正２】
【補正対象書類名】明細書
【補正対象項目名】００２４
【補正方法】変更
【補正の内容】
【００２４】
請求項１の発明の光走査装置は、複数の発光部を主走査方向及び副走査方向に離間して配置した光源手段と、前記複数の発光部から発せられた複数の光束を偏向走査する回転多面鏡と、前記複数の発光部から発せられた複数の光束を副走査断面内において前記回転多面鏡の偏向面にその法線に対して斜め方向から入射させる入射光学系と、前記回転多面鏡の偏向面にて偏向走査された複数の光束を被走査面上に結像させる結像光学系と、を有する光走査装置において、
前記入射光学系は前記光源手段からの光束を平行光束とする変換光学素子を有しており、前記被走査面の有効領域を走査するときの前記回転多面鏡の最大振り角をθmax[deg]、主走査断面内において前記入射光学系の光軸と前記結像光学系の光軸とのなす角度を２φ[deg]、前記変換光学素子の焦点距離をｆcol[mm]、前記複数の発光部のうち、主走査方向に最も離れている２つの発光部の離間距離をａ[mm]、副走査断面内において前記複数の光束の前記回転多面鏡の偏向面への各々の斜入射角度のうち最大値をα[deg]、前記結像光学系の副走査断面内の倍率をβs、前記回転多面鏡の内接円半径をＲ[mm]、副走査方向の画像の解像度をＤＰＩ[dot/inch]、副走査断面内において前記複数の光束の前記回転多面鏡の偏向面への各々の斜入射角度のうちの最大値α[deg]、とするとき、
【数３】
2008170485.tif 000003
２deg＜α＜４deg
なる条件を満足することを特徴としている。
【手続補正３】
【補正対象書類名】明細書
【補正対象項目名】００２５
【補正方法】変更
【補正の内容】
【００２５】
請求項２の発明の光走査装置は、光源手段と、前記光源手段から出射された光束の状態を変換する変換光学素子とを有する入射部とを複数有し、前記複数の入射部から出射された複数の光束を副走査断面内において回転多面鏡の偏向面にその法線に対して斜め方向から入射させる入射光学系と、前記回転多面鏡の偏向面にて偏向走査された複数の光束を被走査面上に結像させる結像光学系と、を有する光走査装置において、
前記被走査面の有効領域を走査するときの前記回転多面鏡の最大振り角をθmax[deg]、主走査断面内において前記入射光学系の光軸と前記結像光学系の光軸とのなす角度を２φ[deg]、主走査断面内において前記偏向面へ入射する複数の光束のうち、最も角度差が大きい２つの光束の角度差をσ[deg]、副走査断面内において前記複数の光束の前記回転多面鏡の偏向面への各々の斜入射角度のうち最大値をα[deg]、前記結像光学系の副走査断面内の倍率をβs、前記回転多面鏡の内接円半径をＲ[mm]、副走査方向の画像の解像度をＤＰＩ[dot/inch]、副走査断面内において前記複数の光束の前記回転多面鏡の偏向面への各々の斜入射角度のうちの最大値α[deg]、とするとき
【数４】
2008170485.tif 000004
２deg＜α＜４deg
なる条件を満足することを特徴としている。
【手続補正４】
【補正対象書類名】明細書
【補正対象項目名】００２６
【補正方法】変更
【補正の内容】
【００２６】
請求項３の発明は請求項１又は２の発明において、前記被走査面の有効領域を走査するときの前記回転多面鏡の最大振り角θmax[deg]は、
１５deg＜θmax＜２５deg
なる条件を満足することを特徴としている。
【手続補正５】
【補正対象書類名】明細書
【補正対象項目名】００２７
【補正方法】変更
【補正の内容】
【００２７】
請求項４の発明は請求項１の発明において、前記変換光学素子の焦点距離ｆcol[mm]は、
１５mm＜ｆcol＜８０mm
なる条件を満足することを特徴としている。
【手続補正６】
【補正対象書類名】明細書
【補正対象項目名】００２８
【補正方法】変更
【補正の内容】
【００２８】
請求項５の発明は請求項２の発明において、主走査断面内において、前記偏向面へ入射する前記複数の光束のうち、最も角度差が大きい２つの光束の角度差σ[deg]は、
０deg＜σ＜１．０deg
なる条件を満足することを特徴としている。
【手続補正７】
【補正対象書類名】明細書
【補正対象項目名】００２９
【補正方法】変更
【補正の内容】
【００２９】
請求項６の発明は請求項１乃至５の何れか１項の発明において、主走査断面内において、前記入射光学系の光軸と前記結像光学系の光軸とのなす角度を２φ[deg]とするとき、
０deg≦２φ＜１００deg
なる条件を満足することを特徴としている。 
【手続補正８】
【補正対象書類名】明細書
【補正対象項目名】００３０
【補正方法】変更
【補正の内容】
【００３０】
請求項７の発明は請求項４の発明において、
０＜ａ／ｆcol＜０．０２
なる条件を満足することを特徴としている。
【手続補正９】
【補正対象書類名】明細書
【補正対象項目名】００３１
【補正方法】変更
【補正の内容】
【００３１】
請求項８の発明は請求項１乃至７の何れか１項の発明において、前記結像光学系の副走査断面内の結像倍率βｓは、
０．５≦｜βｓ｜≦２．０
なる条件を満足することを特徴としている。
【手続補正１０】
【補正対象書類名】明細書
【補正対象項目名】００３２
【補正方法】変更
【補正の内容】
【００３２】
請求項９の発明の画像形成装置は、請求項１から８の何れか１項に記載の光走査装置と、前記被走査面に配置された感光体と、前記光走査装置で走査された光ビームによって前記感光体の上に形成された静電潜像をトナー像として現像する現像器と、現像されたトナー像を被転写材に転写する転写器と、転写されたトナー像を被転写材に定着させる定着器とを有することを特徴としている。
【手続補正１１】
【補正対象書類名】明細書
【補正対象項目名】００３３
【補正方法】変更
【補正の内容】
【００３３】
請求項１０の発明の画像形成装置は、請求項１から８の何れか１項に記載の光走査装置と、外部機器から入力したコードデータを画像信号に変換して前記光走査装置に入力せしめるプリンタコントローラとを有していることを特徴としている。
【手続補正１２】
【補正対象書類名】明細書
【補正対象項目名】００３４
【補正方法】削除
【補正の内容】
【手続補正１３】
【補正対象書類名】明細書
【補正対象項目名】００３５
【補正方法】削除
【補正の内容】
【手続補正１４】
【補正対象書類名】明細書
【補正対象項目名】００３６
【補正方法】削除
【補正の内容】
【手続補正１５】
【補正対象書類名】明細書
【補正対象項目名】００３７
【補正方法】削除
【補正の内容】
【手続補正１６】
【補正対象書類名】明細書
【補正対象項目名】００３８
【補正方法】削除
【補正の内容】
【手続補正１７】
【補正対象書類名】明細書
【補正対象項目名】００３９
【補正方法】削除
【補正の内容】
【手続補正１８】
【補正対象書類名】明細書
【補正対象項目名】０１６６
【補正方法】変更
【補正の内容】
【０１６６】
【数５】
2008170485.tif 000005
【手続補正１９】
【補正対象書類名】明細書
【補正対象項目名】０１７１
【補正方法】変更
【補正の内容】
【０１７１】
【数６】
2008170485.tif 000006